(57)【要約】要約課題  ボルト部材の衝撃を緩衝することによってボルトストップに繰り返し衝撃が加えられても、極めて破損し難く、高い耐久性が発揮されるものとする。解決手段  銃本体に前進後退可能に設けられ、弾丸発射によって発生したガスの圧力により後退してボルトスプリングを蓄圧し、蓄圧された圧力の解放により前進して弾丸装填の動作を行なうボルト部材と、ボルト部材の前進を停止させるボルトストップを備えた銃において、ボルトストップ３１は、最終弾丸発射後に前進して来るボルト部材と係合する係合手段３６を有し、上記係合によってボルトストップに加えられる衝撃力を緩衝するために、ボルトストップに作用する緩衝手段４０を具備したことを特徴とする。選択図          図１
2017064806.tif 000002
【特許請求の範囲】
【請求項１】
銃本体に前進後退可能に設けられ、弾丸発射によって発生したガスの圧力により後退してボルトスプリングを蓄圧し、蓄圧された圧力の解放により前進して弾丸装填の動作を行なうボルト部材と、ボルト部材の前進を停止させるボルトストップを備えた銃において、
ボルトストップは、最終弾丸発射後に前進して来るボルト部材と係合する係合手段を有し、上記係合によってボルトストップに加えられる衝撃力を緩衝するために、ボルトストップに作用する緩衝手段を具備したことを特徴とする
銃におけるボルトストップ緩衝装置。
【請求項２】
銃本体は、銃の操作に伴って装弾部に供給される弾丸の有無を検出する弾切れ検出手段を有し、上記弾切れ検出手段は、弾切れを検出するとともに、ボルト部材が前進後退する際の軌道内にボルトストップを突出させ、係合手段による係合を可能にする連絡のためのリンク機構を具備している
請求項１記載の銃におけるボルトストップ緩衝装置。
【請求項３】
ボルトストップは、前進して来るボルト部材の衝撃を受け止めるとともに、緩衝手段に伝達するボルトストップ機構をボルト部材と緩衝手段の間に具備しており、緩衝手段は、上記衝撃の伝達によって弾性変形する弾性部材を備えている
請求項１記載の銃におけるボルトストップ緩衝装置。
【請求項４】
ボルトストップ機構において、ボルトストップは、銃本体側に設けられた軸が配置される前後方向の長孔を有しており、上記長孔の範囲で移動可能、かつ、軸を中心として回転可能に設けられている
請求項１又は２記載の銃におけるボルトストップ緩衝装置。
【請求項５】
係合手段は、ボルト部材に設けられた係合部とボルトストップに設けられた係合相手部とから成り、ボルト部材の前進方向に対して鋭角を構成するように設けられている
請求項１又は２記載の銃におけるボルトストップ緩衝装置。
【発明の詳細な説明】
【技術分野】
【０００１】
本発明は、銃本体に前進後退可能に設けられ、弾丸発射によって発生したガスの圧力により後退してボルトスプリングを蓄圧し、蓄圧された圧力の解放により前進して弾丸装填の動作を行なうボルト部材と、ボルト部材の前進を停止させるボルトストップを備えた銃におけるボルトストップ緩衝装置に関するものである。
【背景技術】
【０００２】
銃の操作に伴って、ボルトに作用するスプリング（本書では、単にボルトスプリングという。）を蓄圧し、その圧力の解放によって前進するボルトを有する銃の多くにはボルトストップが設けられている。アサルトライフルなどと呼ばれている自動装填式火器もこのような機構を備えており、このタイプの銃においてボルトはその前進により弾丸を装填するとともに、最終弾丸発射後は、弾丸を撃ち尽くしたことを知らせるためにボルトストップに衝突して停止する。このような衝突、停止動作は、弾丸を撃ち尽くすとその都度繰り返される。【０００３】
従って、ボルトが衝突するごとにボルトストップに大きな衝撃が加わるため、金属疲労を起こし易く、最悪の場合にはボルトストップを破損させることがある。この問題は実銃において久しく指摘されてきたことであるが、どのような改善策が施されたのかどうか、現時点において把握することができない。すなわち、ボルトストップの損傷防止対策が施されたと認められる銃を見出すことはできない。【０００４】
先行技術を調査しても思わしい結果は得られず、例えば、特許庁のテキスト検索サイトではボルトストップをキーワードとする検索結果は３件に止まり、内１件は内燃エンジンに関するもので、他の２件も本発明の目的とするボルトストップの問題とは関係がない。特開２０１０−０２５５０１号公報には、本出願人の出願に係る電動銃における機会式通電停止装置の発明が記載されており、ボルトストップと称する記載もあるが、それは部品として実銃を模したもので、実際にはリセット機能を有するに過ぎない。残る１件の特表２０００−５０８０５１号公報は火器のボルト撃針ロック装置に関する発明であり、第２図を参照した説明に「ボルト１４は、ストップ壁２５Ｗがボルトストップ面３１ｆに当接するまで、僅かな距離だけ後方に移動できる。」とあり、また、「ボルト１４は、円箇状の支柱３５を介してボルト１４にリンクされた大きな反動ばね（図示せず）により、弾丸Ｃに対して押圧されている。」との記載が文末にある。しかし、これらの記載は、ボルトストップに加えられるボルトの衝撃を問題としていないことを示している。【０００５】
さらに、米国特許商標庁のサイトにてｂｏｌｔ  ｓｔｏｐをキーワードとして米国特許公開文献を調査したところ１０件余りヒットし、その中に２件の火器のボルトストップに関する発明を見出した。２件のうち、ＵＳ２０１０／０２７５４８５Ａ１は左利きの者も右利きの者と同様に扱えるように両手利き型にしたボルトストップに関する発明である。また、ＵＳ２００５／０１８３３１０Ａ１はマガジンの着脱とボルトストップを関連付けたもので、何れもボルトの衝撃が問題とされているわけではない。
【先行技術文献】
【特許文献】
【０００６】
【特許文献１】特開２０１０−０２５５０１号公報
【特許文献２】特表２０００−５０８０５１号公報
【特許文献３】ＵＳ２０１０／０２７５４８５Ａ１
【特許文献４】ＵＳ２００５／０１８３３１０Ａ１
【発明の概要】
【発明が解決しようとする課題】
【０００７】
本発明は前記の点に鑑みなされたもので、その課題は、ボルト部材の衝撃を緩衝することによってボルトストップに繰り返し衝撃が加えられても、極めて破損し難く、高い耐久性を発揮する銃におけるボルトストップ緩衝装置を提供することである。また、本発明の他の課題は、弾丸が打ち終わったことを検出し、マガジンを交換して再装填するときにボルトストップをボルト部材との係合から解除すること及びそれによって弾切れを検出し、マガジンを交換して再装填するという機能を維持しつつ、ボルト部材の前進による衝撃を吸収できるようにすることである。
【課題を解決するための手段】
【０００８】
前記の課題を解決するため、本発明は、銃本体に前進後退可能に設けられ、弾丸発射によって発生したガスの圧力により後退してボルトスプリングを蓄圧し、蓄圧された圧力の解放により前進して弾丸装填の動作を行なうボルト部材と、ボルト部材の前進を停止させるボルトストップを備えた銃において、ボルトストップは、最終弾丸発射後に前進して来るボルト部材と係合する係合手段を有し、上記係合によってボルトストップに加えられる衝撃力を緩衝するために、ボルトストップに作用する緩衝手段を具備して構成するという手段を講じたものである。【０００９】
本発明に係るボルトストップ緩衝装置を適用する銃は、弾丸発射によって発生した火薬の燃焼によるガスを圧力源として使用する銃が対象となる。ボルト部材はガスの圧力により後退し、その際にカートリッジを装弾室から取り出す排莢操作と、弾丸を装弾室に押し込む装填操作を行なうことを主要な目的とする。より具体的な例を挙げれば、装填操作はボルトの前進を回転に変換するなどして薬室を閉鎖する操作を含む。また、ボルトストップはボルト部材を後退位置に保持することでマガジンが空になったことを使用者に知らせ、迅速な再装填を可能にする。【００１０】
本発明におけるボルトストップは、最終弾丸発射後に前進して来るボルト部材を停止させる機能を有している。すなわち、ボルトストップは、最終弾丸発射後に前進して来るボルト部材と係合する係合手段を有しており、かつ、上記係合によってボルトストップに加えられる衝撃力を緩衝するために、ボルトストップに作用する緩衝手段を具備している。これは、最小限度の構成要件として、ボルト部材と係合する係合手段を備えたボルトストップ及びこれに作用する緩衝手段とがあれば、本発明が成立するという趣旨である。従って、これら以外の要件を本発明に付加し得ることは当然である。なお、ボルト部材は弾丸発射によって発生したガスの圧力により後退してボルトスプリングを蓄圧し、蓄圧された圧力の解放により前進して弾丸装填の動作を行なう部材であり、緩衝すべき衝撃を引き起こす存在である。【００１１】
また、銃本体が、銃の操作に伴って装弾部に供給される弾丸の有無を検出する弾切れ検出手段を有し、上記弾切れ検出手段は、弾切れを検出することによって、ボルトストップ機構を構成するボルトストップをボルト部材が前進後退する際の軌道内に突出させ、係合手段による係合を可能にするためのリンク機構を具備しているという構成は、本発明において好ましいものである。【００１２】
ボルトストップは、前進して来るボルト部材の衝撃を受け止めるとともに、緩衝手段に伝達するボルトストップ機構をボルト部材と緩衝手段の間に具備しており、緩衝手段は、上記衝撃の伝達によって弾性変形する弾性部材を備えていることが望まれる。この構成は弾性部材をボルトストップ機構の後段に設けることになる。しかし、緩衝手段はボルトストップに作用すれば良いので、上記の形態は飽くまでボルトストップ機構を使用する場合に適用されるものである。【００１３】
また、ボルトストップ機構を構成するボルトストップが、銃本体側に設けられた軸が配置される前後方向の長孔を有し、上記長孔の範囲で移動可能、かつ、軸を中心として回転可能に設けられている構成も望ましいものである。また、係合手段がボルト部材に設けられた係合部とボルトストップに設けられた係合相手部とから成り、ボルト部材の前進方向に対して鋭角を構成するように設けられている構成も好ましいものであり、係合が確実になされることが期待される。しかしながら、上記の鋭角という構成が妥当でない場合には、直角或いは鈍角という構成を取る余地もある。【００１４】
なお、この種の銃には、いわゆる単射専用銃と連射、単射切換え式の銃があるが、どちらの銃についても本発明を適用することができる。連射、単射切換え式の銃では、連射で撃つと弾の減りが早くマガジンの交換が多くなり、ボルトストップの掛かる頻度が増えるので、本発明による衝撃の緩衝がより効果的になる。
【発明の効果】
【００１５】
本発明は以上のように構成され、かつ、作用するものであるから、ボルトストップに加えられるボルト部材の衝撃を緩衝手段によって吸収、緩和することができ、繰り返し衝撃に耐えるので極めて破損し難く、高い耐久性を発揮する銃におけるボルトストップ緩衝装置を提供することができるという効果を奏する。また、本発明によれば、弾丸が打ち終わったことを検出し、マガジンを交換して再装填するときにボルトストップ部材をボルト部材との係合から解除することによって、弾切れを検出し、マガジンを交換して再装填するという機能を維持しつつ、ボルト部材の前進による衝撃を吸収できる。
【図面の簡単な説明】
【００１６】
【図１】本発明に係る銃におけるボルトストップ緩衝装置を適用したアサルトライフルの一例を示す縦断面説明図である。
【図２】同上の装置の要部を拡大して示すもので、Ａは縦断面説明図、ＢはＡのＩＩＢ−ＩＩＢ線断面図である。
【図３】同上の装置の作動に関するもので、Ａは最終弾丸発射前の状態、Ｂは最終弾丸発射後ボルト部材が後退途中の状態をそれぞれ示す縦断面説明図である。
【図４】同じく装置の作動に関するもので、Ａはボルト部材が最大限後退した状態、Ｂはボルト部材が前進を開始した状態をそれぞれ示す断面説明図である。
【図５】同上の装置の作動に関するもので、Ａはボルトストップ部材の前進位置を示す状態、Ｂは緩衝スプリングによって長孔の範囲でボルトストップ部材が後退した状態をそれぞれ示す断面説明図である。
【発明を実施するための最良の形態】
【００１７】
以下図示の実施形態を参照して本発明をより詳細に説明する。本発明の銃におけるボルトストップ緩衝装置はボルト部材を停止させるボルトストップを有するあらゆる銃に適用されるものである。図示の実施形態はアサルトライフルに関するものであり、本発明の詳細な説明に必要不可欠の構成が記載されている。【００１８】
図１に示した銃Ｇは銃本体に弾丸の発射のための発射装置部１０を具備し、発射装置部１０の前部にバレル部１１を、発射装置部１０の後部にブローバック用ボルトキャリアー１５のための可動体部２１を、発射装置部１０の下部にマガジン装填部２６をそれぞれ具備している。バレル部１１は弾丸（弾頭）Ｂを有するカートリッジＣが装填される装弾室１２を後部に有し、弾丸発射によって発生したガスをバレル内部から取り出す取り出し口１３を前部に有している。なお、弾丸装填などという場合の弾丸は発射前のカートリッジＣと一体のいわゆる実包（実弾）をいうものとする。【００１９】
上記取り出し口１３にはバレル外部に設けられているガスチューブ１４の一端側が接続され、ガスチューブ１４の他端側は後方に伸びて銃本体内に達し、ボルトキャリアー１５と一体的に前進後退可能なボルトキャリアーキー１６の前端部と接続・分離可能に設けられている。ボルトキャリアー１５は、前述の如く、銃本体側に前進後退可能に設けられ、弾丸発射によって発生したガスの圧力により後退してボルトスプリング２４を蓄圧し、蓄圧された圧力の解放により前進して弾丸装填等の動作を行なう。【００２０】
ボルトキャリアー１５は前後に細長いほぼ棒状の形態を有し、その棒状の形態の軸芯部分にボルト２０が前進後退可能に設けられている。前記ボルトキャリアーキー１６は、ボルト２０が前進後退するシリンダー状のボア１８と管路１７によって通じており、弾丸発射に伴うガスは、ボア１８内にて摺動するボルト２０のピストン状の受圧部分１９の後方に導かれる。なお、ボルト２０の軸芯部分には、カートリッジＣの雷管を叩打するファイヤリングピン（撃針、図２参照）２０ａが前進後退可能に組み込まれている。本実施形態では、ボルト２０を組み込んだボルトキャリアー１５をボルト部材と呼んでいる。ボルト構造には図示以外にも様々な種類があるが、本発明は弾丸発射によって発生したガスの圧力により後退してボルトスプリングを蓄圧し、蓄圧された圧力の解放により前進して弾丸装填等の動作を行なう銃であれば、どのような機種にでも適用することができる。【００２１】
上記ボルトキャリアー１５の後方には可動体部２１が配置されており、可動体部２１は銃本体に取り付けたケーシング２２と、その内部に配置された可動軸２３を有している。可動軸２３はケーシング２２の内部にて前進後退可能に設けられており、軸頭２３ａにてボルトキャリアー１５の後端と接続するように構成されている。図中、符号２４はボルトスプリングを示しており、ボルトスプリング２４は可動軸２３を前進方向へ付勢し、それによって最終的にはボルトキャリアー１５を発射準備状態に置くように作用する。また、ボルトスプリング２４はボルトキャリアー１５を後退動作時に受け止め、リコイルショックを緩和する手段としても機能する。【００２２】
本発明に係る銃が備えるべきトリガー機構はアサルトライフルと共通のものであり、作動も一般的であるので、以下にその概略を記載するに止める。すなわち、２５は操作のためのトリガーであり、その操作によって図示していないハンマーの係止状態が解除され、前述したファイヤリングピン（撃針）２０ａの打撃に至るという構成を有している。この構成によって、装弾室１２に装填されている弾丸の雷管が叩打され、弾丸の発射に至る。【００２３】
マガジン３０は発射装置部１０の下部に位置する。マガジン３０は銃本体下部に設けられたマガジン装填部２６に着脱可能に取り付けられ、実包は内部に組み込まれたフォロワー２７によって支えられ、フォロワースプリング２８によって、図４以下に示される装弾室後方の空所２９（図４参照）にまで押し上げられる。【００２４】
本発明に係る銃におけるボルトストップ緩衝装置は、図２に実施形態として詳細に示されている。実施形態のボルトストップ緩衝装置は、銃の操作に伴って蓄圧され、ボルトスプリング２４の解放によって前進するボルトキャリアー１５と、上記前進しているボルトキャリアー１５を停止させるボルトストップ３１とを備えた構成を有する。特に、実施形態のものは弾切れ検出手段３３の作動によって、ボルトキャリアー１５が前進後退する軌道Ｘ内にボルトストップ３１を突出させる構成を有し、緩衝手段４０を用いて、前進に転じたボルトキャリアー１５と前記ボルトストップ３１が衝突したときに生じる衝撃を吸収するように構成されている。【００２５】
前述のフォロワー２７は、最後の弾丸Ｂが発射されたことを検出する役割も果たしている。すなわち、マガジン３０内に装備され、弾丸（実包）によって圧縮されていたフォロワースプリング２８がその弾発力によって伸びるにつれて、フォロワー２７は上昇し、ボルトキャリアー１５の下側に当たり、停止する。その後、弾丸Ｂが発射されボルトキャリアー１５が後退すると、フォロワー２７が上昇する。フォロワー２７はその後端部２７ａにてボルトストップ３１との中継部材３２と係合する。従って、フォロワー２７と中継部材３２とは弾切れ検出手段３３を構成する。【００２６】
フォロワー２７の後端部２７ａはボルトストップ３１との間の中継部材３２における一端部３２ａと係合して押し上げ、ボルトストップ３１を、ボルトキャリアー１５が前進後退する軌道Ｘ内に突出させる。フォロワー２７と中継部材３２は、弾切れ検出手段３３とボルトストップ３１とを連絡するためのリンク機構を構成する。【００２７】
上記中継部材３２は、ボルトストップ機構３５を構成するボルトストップ３１と係合する。すなわち、中継部材３２の他端部３２ｂは、ボルトストップ３１と溝状の係合部３１ａにて係合している。従って、弾切れ検出手段３３により弾切れが検出されると、装弾室１２に配置されるべき弾丸Ｂが撃ち尽くされた、という弾切れ情報が弾切れ検出手段３３によってボルトストップ３１まで順次伝達されることになる。【００２８】
図２Ｂを参照すると、中継部材３２は銃本体の左右に及ぶ部材として図示されており、銃本体左側の軸３２ｃによって銃本体に軸支され、軸周りの回転によって右側の部分（図２にクランク状にあらわれている。）が上下動可能になるように設けられている。また、中継部材３２は、軸３２ｃの上部において銃本体左側にあらわれる操作部３２ｄを有し、下部にはばね３２ｅが作用していて、中継部材３２を定位置に戻し、かつ、後述するボルトストップ３１を押し下げるように設けられている。【００２９】
ボルトストップ３１には前後方向の長孔３１ｂが形成されており、軸３４によって銃本体側に搖動可能に軸支されている。従って、ボルトストップ３１は長孔３１ｂ内におけるストローク量だけ移動可能であり、かつ、軸３４を中心に回転可能である。この構成の結果、リンク機構により、中継部材３２を介して、ボルトストップ３１の係合相手部３１ｃの側が上昇し、ボルトキャリアー１５が前進後退する軌道Ｘ内に突出可能となる。【００３０】
ボルトキャリアー１５には係合手段３６の一方として係合部１５ａが設けられており、この係合部１５ａは、係合手段３６の他方として上記ボルトストップ３１に設けられている係合相手部３１ｃと係合可能に構成されている（図４参照）。特に、実施形態の上記係合部１５ａと係合相手部３１ｃとは、ボルトキャリアー１５の前進方向に対して鋭角を構成する傾斜部として設けられている。上記係合部１５ａと係合相手部３１ｃの傾斜は、ボルトストップ３１が前後方向の長孔３１ｂにて軸３４によって軸支されている構成において、係合部１５ａと係合相手部３１ｃを直角にした場合に起こり得る、係合の不安定を解消することができる。係合手段３６を前進方向に対して鋭角的に形成することは、この実施形態における一つの手段に過ぎない。ボルトキャリアー１５とボルトストップ３１の係合時の条件、例えば係合に関わる部材の質量、速度の大小、材質などが異なれば、直角的ないしは鈍角的な形態を取ることも想定される範囲内のことである。【００３１】
前記ボルトストップ３１には緩衝手段４０が作用している。実施形態の緩衝手段４０は緩衝リンク３７と、銃本体側の取付け部３８に前後方向へ移動可能に組み込まれた緩衝軸３９及び緩衝軸３９を前方へ加圧する緩衝スプリング４１を有している。上記緩衝リンク３７は軸３７ｂにて銃本体側に揺動可能に軸支されており、一端がボルトストップ３１の前部係合部３１ｄに係合し、他端は緩衝軸３９の先端に係合する。よって、ボルトキャリアー１５の前進に伴う衝突時において、ボルトストップ３１が銃口方向へ移動する衝撃は緩衝手段４０に伝達、吸収される。【００３２】
なお、中継部材３２とボルトストップ３１は、銃口から銃床の方向に並んでいるため、ボルトキャリアー１５が前進する際にボルトストップ機構３５のボルトストップ３１と衝突するが、中継部材３２はボルキャリアー１５に接触しない構造であり、ボルトストップ３１が最大移動時でも接触しない構造であるから、中継部材３２には直接接触しない。ボルトストップ３１は長孔３１ｂにて軸３４と係合しているために、長孔３１ｂの長さを最大限度として移動可能である。最大移動時、ボルトストップ３１の溝部３１ａに、中継部材３２の他端部３２ｂがさらに入り込む状態となる。【００３３】
このように構成された本発明の銃におけるボルトストップ緩衝装置に関して、図３Ａにより最終の弾丸（実包）が装弾部１２にある最終弾発射前の状態を示す。トリガー２５を操作して弾丸Ｂが発射されると、弾丸発射によって発生したガスがバレル内に充満し、その圧力はガスチューブ１４からボルトキャリアー１５のボア１８に流入し、ボルトキャリアー１５を後退させ、ボルトスプリング２４を蓄圧するとともに、カートリッジＣを装弾室１２から引き抜き（図３Ｂ）、いわゆる排莢動作が行なわれる。【００３４】
マガジン３０において弾丸（実包）が空になると、ボルトキャリアー１５は最大後退位置まで後退し（図４Ａ）、マガジン３０では、フォロワースプリング２８の弾発力によってフォロワー２７が装弾部１２の後方付近の空所２９にまで押し上げられ最高位置に達する。フォロワー２７の上昇に伴って、フォロワー２７の後端部２７ａと一端部３２ａにて係合する中継部材３２に押し上げ力が作用する。【００３５】
中継部材３２は他端部３２ｂと溝部３１ａにてボルトストップ３１と係合しており、フォロワー２７の上昇が伝達されることで、ボルトストップ３１は軸３４を中心に回転し、図４Ａにおいて反時計回りに回転する。その結果、ボルトストップ３１の上部にある係合相手部３１ｃが軌道Ｘ内に突出する。【００３６】
ボルトキャリアー１５は、最大後退位置まで後退した後、ボルトスプリング２４の蓄力解放によって前進に転じる。そして、ボルトキャリアー１５に係合手段３６の一方として設けられた係合部１５ａは、係合手段３６の他方として上記ボルトストップ３１に設けられた、上記の係合相手部３１ｃと係合する（図４Ｂ）。【００３７】
ボルトキャリアー１５がさらに前進すると、ボルトストップ３１は係合手段３６によって前方へ連行され、そのため軸３４は長孔３１ｂの前端から後端に相対的に移動するようにその位置が変わる（図５Ａ）。ボルトストップ３１が上記移動をする間、ボルトストップ３１はその前部係合部３１ｄが係合している緩衝リンク３７を一端部にて押圧し、他端は係合している緩衝軸３９の先端部を緩衝スプリング４１の弾力に抗して押圧する。よって、ボルトキャリアー１５の前進に伴う衝突時にボルトストップ３１が銃口方向へ移動する衝撃が緩衝手段４０に吸収され、ボルトキャリアー１５は緩やかに停止する。【００３８】
次いで、緩衝スプリング４１の弾性力によってボルトストップ３１が後方へ押し戻されるとともに、ボルトキャリアー１５も図４Ｂの位置まで後退し、緩衝装置の作動が完了する（図５Ｂ）。さらに、マガジン着脱装置を操作しマガジン交換を行なうとともに、中継部材３２の操作部３２ｄを押すことにより、または図示していないチャージングハンドルでボルトキャリアー１５を後退させることにより、ボルトストップ３１の前部が下がって係合手段３６の係合が解除される。その結果、弾丸（実包）が再度装填され、薬室が閉鎖された状態になる。【００３９】
本発明の銃におけるボルトストップ緩衝装置は、ボルトキャリアー１５を停止させるボルトストップ３１を緩衝手段４０によって間接的に緩衝し、その損傷を防止して、突然の作動不全を生じないように銃を保護することができる。また、本発明の装置では、弾丸Ｂが撃ち尽くされたという弾切れを検出し、マガジンを交換して再装填するという機能も維持される。【００４０】
本発明に係るボルトストップ緩衝装置の作動は以上のように行なわれる。一般的なアサルトライフル等の銃においても、弾丸の再装填はマガジン交換によって行なうとともに、図示していないハンドル等の操作によってボルトキャリアー１５を操作し、弾丸の装填と薬室の閉鎖を行なうので、本発明の装置を適用した銃と変わるところはない。従って、本発明の装置は既存の銃に組み込んで、その銃の作動におけるボルトの衝撃を緩衝することができる。
【符号の説明】
【００４１】
１０  発射装置部
１１  バレル部
１２  装弾部
１３  取り出し口
１４  ガスチューブ
１５  ボルトキャリアー
１６  ボルトキャリアーキー
１７  管路
１８  ボア
１９  受圧部分
２０  ボルト
２１  可動体部
２２  ケーシング
２３  可動軸
２４  ボルトスプリング
２５  トリガー
２６  マガジン装填部
２７  フォロワー
２８  フォロワースプリング
２９  空所
３０  マガジン
３１  ボルトストップ
３２  中継部材
３３  弾切れ検出手段
３４  軸
３５  ボルトストップ機構
３６  係合手段
３７  緩衝リンク
３８  取付け部
３９  緩衝軸
４０  緩衝手段
４１  緩衝スプリング
【図１】
2017064806.tif 000003
【図２】
2017064806.tif 000004
【図３】
2017064806.tif 000005
【図４】
2017064806.tif 000006
【図５】
2017064806.tif 000007
【国際調査報告】
2017064806.tif 000008
2017064806.tif 000009
2017064806.tif 000010